(57)【要約】【解決手段】吊り線１に取着された懸架部材１０と、該懸架部材に対して昇降可能で、且つ、適当な固着具により、上記懸架部材に位置固定が可能なフック部材９とを有する通信ケーブル用クロージャ３に関するものである。【効果】吊り線に取着された懸架部材と、該懸架部材に対して昇降可能で、且つ、適当な固着具により、上記懸架部材に位置固定が可能なフック部材とにより通信ケーブル用クロージャを構成したので、従来の通信ケーブル用クロージャのように、通信ケーブル用クロージャ全体を、吊り下げバンドから取り外す必要がないので、光ファイバ心線の切替や切り分け作業等の作業性が向上し、作業時間を短縮することができる。【選択図】図１１
2004236484.tif 000002
【特許請求の範囲】
【請求項１】
吊り線に取着された懸架部材と、該懸架部材に対して昇降可能で、且つ、適当な固着具により、上記懸架部材に位置固定が可能なフック部材とを有することを特徴とする通信ケーブル用クロージャ。
【請求項２】
懸架部材に複数形成された水平スリットに、フック部材に形成された係止片を挿入することにより、通信ケーブル用クロージャの作業位置が変更可能であることを特徴とする請求項１に記載の通信ケーブル用クロージャ。
【請求項３】
カバー体に配設された弾性舌片の透孔に、基台に突設された引掛凸部を嵌入させることにより、カバー体と基台とを連結するように構成したことを特徴とする請求項１又は請求項２に記載の通信ケーブル用クロージャ。
【請求項４】
ケーブル把持部材が、固定枠と把持される通信ケーブルの径に応じた嵌合凹部を有する反転ブロックとにより構成されていることを特徴とする請求項１〜請求項３のいずれか１項に記載の通信ケーブル用クロージャ。
【請求項５】
通信ケーブルをシールするグロメットが、複数の半円盤状空間部と容易に弾性変形可能な薄肉状壁部とにより構成されていることを特徴とする請求項１〜請求項４のいずれか１項に記載の通信ケーブル用クロージャ。
【請求項６】
懸架部材が接地機能を有し、この懸架部材により接地することを特徴とする請求項１〜請求項５のいずれか１項に記載の通信ケーブル用クロージャ。
【発明の詳細な説明】
【０００１】
【発明の属する技術分野】
本発明は、メタル心線や光ファイバ心線等からなる通信ケーブルの接続部及び余長部等を収納するための通信ケーブル用クロージャに関するものである。
【０００２】
【従来の技術】
従来の通信ケーブル用クロージャは、軸線に沿って分割された半円筒体の２個を、分割面を合わせて組立て円筒体に形成した箱体と、該箱体の一方の半円筒体に、メタル心線や光ファイバ心線等の接続部や余長部を整理収納する心線収納部とを有しており、２個の半円筒体は、その分割面をボルト等で結合したり、２個の半円筒体をバンド等で緊締して通信ケーブル用クロージャを組み立て、通信ケーブル用クロージャは、吊り線に、吊り下げバンドにより懸架されている。
【０００３】
また、光心線の切替や切り分け作業の際には、吊り下げバンドから通信ケーブル用クロージャを外して、作業台に載置し、その後、ボルトや緊諦バンド等を取り外して、上方の半円筒体を持ち上げて作業台に置き、光心線の切替や切り分け作業を行っている。
【０００４】
更に、従来の通信ケーブル用クロージャにおいては、テンションメンバ把持部材と吊り線との間に接地線を配設し、テンションメンバを伝わって侵入してくる可能性のある異常電流を、接地線及び吊り線等を介して大地に逃がし、通信ケーブル用クロージャの損傷を防止している。
【０００５】
【発明が解決しようとする課題】
従来の通信ケーブル用クロージャにおいては、上述したように、光心線の切替や切り分け作業の際には、吊り下げバンドから通信ケーブル用クロージャを外して、作業台に載置し、また、ボルトや緊諦バンド等を取り外して、上方の半円筒体を持ち上げて作業台に置かなければならず、しかも、クレーンの狭いバケット台には、通信ケーブル用クロージャや半円筒体等を載置しておく場所も少なく、従って、光心線の切替や切り分け作業の作業性が悪く、光心線の切替や切り分け作業に長時間を要するという問題があった。
【０００６】
また、従来の通信ケーブル用クロージャにおいては、上述したように、テンションメンバ把持部材と吊り線との間に接地線が配設されているために、光心線の切替や切り分け作業の際には、接地線を取り外したり、取り付けたりしなければならず、従って、光心線の切替や切り分け作業に長時間を要するという問題があった。
【０００７】
本発明の目的は、上述した従来の通信ケーブル用クロージャが有する課題を解決することにある。
【０００８】
【課題を解決するための手段】
本発明は、上述した目的を達成するために、第１には、通信ケーブル用クロージャを、吊り線に取着された懸架部材と、該懸架部材に対して昇降可能で、且つ、適当な固着具により、上記懸架部材に位置固定が可能なフック部材とにより構成したものであり、第２には、懸架部材に複数形成された水平スリットに、フック部材に形成された係止片を挿入することにより、通信ケーブル用クロージャの作業位置を変更可能としたものであり、第３には、カバー体に配設された弾性舌片の透孔に、基台に突設された引掛凸部を嵌入させることにより、カバー体と基台とを連結するように構成したものであり、第４には、ケーブル把持部材を、固定枠と把持される通信ケーブルの径に応じた嵌合凹部を有する反転ブロックとにより構成したものであり、第５には、通信ケーブルをシールするグロメットが、複数の半円盤状空間部と容易に弾性変形可能な薄肉状壁部とにより構成されているものであり、第６には、懸架部材が接地機能を有し、この懸架部材により接地するようにしたものである。
【０００９】
【実施例】
以下、本発明の通信ケーブル用クロージャの実施例について説明するが、本発明の趣旨を越えない限り何ら、本実施例に限定されるものではない。なお、本実施例を、通信ケーブルとしての光ケーブルを例に説明する。
【００１０】
１は、鋼線等からなる吊り線であり、２は、光ケーブルであり、その外径は、光ファイバ心線対数により異なる。３は、通信ケーブル用クロージャであり、通信ケーブル用クロージャ３は、基台４や内部が深い空間を有するカバー体５等から構成されている。本実施例には、外径が小径の光ケーブル２ａと外径が大径の光ケーブル２ｂとが示されている。
【００１１】
基台４は、平面形状が長方形の底部４ａと、底部４ａの短辺側の両端部に形成されたグロメット収納部４ｂとを有しており、グロメット収納部４ｂには、後述するグロメットが嵌入可能な凹部４ｂ１が形成されている。また、基台４の底部４ａの中央部には、光心線収納トレーａ１が多段に段積みされた心線収納部Ａが配設されている。４ｃは、基台４の底面に、基台４の長辺に沿って、所定の間隔で突設された引掛凸部である。
【００１２】
底部４ａの長辺側に沿った心線収納部Ａ両側には、Ｌ字型金具６ａと、コの字型の座金具６ｂとからなるテンションメンバ把持部材６が配設されている。Ｌ字型金具６ａの水平部６ａ１と座金具６ｂの間に、光ケーブル２のテンションメンバ２’を配置し、ボルトＢ１により締め付けることにより、テンションメンバ２’を、Ｌ字型金具６ａの水平部６ａ１と座金具６ｂとにより挟持するように構成されている。
【００１３】
また、テンションメンバ把持部材６とグロメット収納部４ｂとの間には、ケーブル把持部材７が配設されている。ケーブル把持部材７は、基台４に立設された垂直部７ａ１と基台４の短辺に沿って延在する水平部７ａ２とからなるＴ字状の固定枠７ａを有しており、水平部７ａ２の中央部が、垂直部７ａ１の上端に連接されている。水平部７ａ２の垂直部７ａ１を挟んで位置する両翼部分には、適当数の螺子孔７ａ３が穿設されている。本実施例には、両翼部分に、それぞれ、３個ずつの螺子孔７ａ３が形成されている例が示されている。
【００１４】
７ｂは、固定枠７ａを構成する水平部７ａ２と対向するように、固定枠７ａに配設される、ケーブル把持部材７を構成する反転ブロックであり、反転ブロック７ｂの一方の面（図５及び図６において、上面）には、小径の光ケーブル２ａが、２本並設して、嵌合可能な２本の細幅嵌合凹部７ｂ１が、基台４の長辺に沿って形成されており、また、反転ブロック７ｂのもう一方の面（図５及び図６において、下面）には、大径の光ケーブル２ｂが、嵌合可能な１本の太幅嵌合凹部７ｂ２が、基台４の長辺に沿って配置されるように形成されている。反転ブロック７ｂには、嵌合凹部７ｂ１、７ｂ２と直交する方向に２本のボルト挿入孔７ｂ３が並設されているとともに、Ｔ字状の固定枠７ａの垂直部７ａ１の両面の中程には、上下２段に、それぞれ２個ずつの螺子孔７ａ４が形成されている。
【００１５】
ケーブル把持部材７に、小径の光ケーブル２ａを取着する場合には、図６の手前側に位置する反転ブロック７ｂのように、細幅嵌合凹部７ｂ１が上方に位置するように反転ブロック７ｂを配置し、その後、反転ブロック７ｂに穿設されたボルト挿入孔７ｂ３に、ボルトＢ２を挿通するとともに、ボルトＢ２を、固定枠７ａの垂直部７ａ１に形成された螺子孔７ａ４に螺合させることにより、反転ブロック７ｂを、固定枠７ａに取着する。また、ケーブル把持部材７に、大径の光ケーブル２ｂを取着する場合には、図６の奥側に位置する反転ブロック７ｂのように、太幅嵌合凹部７ｂ２が上方に位置するように反転ブロック７ｂを配置し、その後、同様に、反転ブロック７ｂに穿設されたボルト挿入孔７ｂ３に、ボルトＢ２を挿通するとともに、ボルトＢ２を、固定枠７ａの垂直部７ａ１に形成された螺子孔７ａ４に螺合させることにより、反転ブロック７ｂを、固定枠７ａに取着する。
【００１６】
Ｂ３は、固定枠７ａを構成する水平部７ａ２の両翼部分に穿設された螺子孔７ａ３に螺合される締め付けボルトであり、締め付けボルトＢ３の下端には、円弧状押さえ板ｂ１が取着されている。締め付けボルトＢ３は、小径の光ケーブル２ａの外径に対応した曲率半径を有する円弧状押さえ板ｂ１が取着されたものと、大径の光ケーブル２ａの外径に対応した曲率半径を有する円弧状押さえ板ｂ２が取着されたものとが用意されている。
【００１７】
ケーブル把持部材７に小径の光ケーブル２ａを把持する場合には、上述したように、図６の手前側に位置する反転ブロック７ｂのように、細幅嵌合凹部７ｂ１が上方に位置するように反転ブロック７ｂを、固定枠７ａの垂直部７ａ１に取着するとともに、上記の反転ブロック７ｂと相対する固定枠７ａの水平部７ａ２に穿設された所定の螺子孔７ａ３に、小径の光ケーブル２ａの外径に対応した曲率半径を有する円弧状押さえ板ｂ１が取着された締め付けボルトＢ３を螺合させる。次いで、反転ブロック７ｂの細幅嵌合凹部７ｂ１に、小径の光ケーブル２ａを嵌合し、その後、締め付けボルトＢ３を下降する方向に回転させて、反転ブロック７ｂと締め付けボルトＢ３に取着された円弧状押さえ板ｂ１とにより、小径の光ケーブル２ａを挟持する。
【００１８】
同様に、ケーブル把持部材７に大径の光ケーブル２ｂを把持する場合には、太幅嵌合凹部７ｂ２が上方に位置するように反転ブロック７ｂを、固定枠７ａの垂直部７ａ１に取着するとともに、上記の反転ブロック７ｂと相対する固定枠７ａの水平部７ａ２に穿設された所定の螺子孔７ａ３に、大径の光ケーブル２ｂの外径に対応した曲率半径を有する円弧状押さえ板ｂ２が取着された締め付けボルトＢ３を螺合させる。次いで、反転ブロック７ｂの太幅嵌合凹部７ｂ２に、大径の光ケーブル２ｂを嵌合し、その後、締め付けボルトＢ３を下降する方向に回転させて、反転ブロック７ｂと締め付けボルトＢ３に取着された円弧状押さえ板ｂ２とにより、大径の光ケーブル２ｂを挟持する。
【００１９】
上述したように、ケーブル把持部材７が、固定枠７ａと把持される通信ケーブル２の径に応じた嵌合凹部７ｂ１、７ｂ２を有する反転ブロック７ｂとにより構成されているので、反転ブロック７ｂを１８０度、反転させるだけで、外径の異なる通信ケーブル２に対応することができる。
【００２０】
図７及び図８に示されているように、通信ケーブル用クロージャ３を構成するカバー体５は、両端部付近に下方に傾斜した傾斜部５ａ１を有する天部５ａと相対する側部５ｂとからなる略半筒状体に形成されており、カバー体５の両端には、逆Ｕ字状のグロメット収納部５ｃが形成されている。グロメット収納部５ｃの内壁面には、カバー体５の長手方向に対して直交するように延在する、後述するグロメットが嵌合する凹部５ｃ１が形成されている。カバー体５の側部５ｂの下端には、所定の間隔をおいて折り曲げ可能な弾性舌片５ｄが垂設されており、この弾性舌片５ｄには、上述した基台４の底面に、基台４の長辺に沿って突設された引掛凸部４ｃが嵌入可能な透孔５ｄ１が穿設されている。
【００２１】
８は、ゴムや軟質合成樹脂で成形されたグロメットであり、グロメット８は、相対する長側壁８ａと相対する短側壁８ｂと相対する水平面８ｃとを有する、細長の略角柱状体として形成されており、相対する長側壁８ａの周部には、周部に沿って凸条８ｄが形成されている。グロメット８の一方の水平面８ｃの半分の領域には、上方に開口を有する半円盤状空間部８ｅが、グロメット８の短側壁８ｂに沿って、複数個、並設されており、半円盤状空間部８ｅを形成したことにより、半円盤状空間部８ｅを構成するグロメット８の長側壁８ａ及び隣り合う半円盤状空間部８ｅ間には、容易に弾性変形可能な薄肉状壁部８ｆが形成されている。このように、複数個の半円盤状空間部８ｅと薄肉状壁部８ｆとにより、光ケーブル２が略半分嵌合可能なグロメット８のシール部８’が形成されることになる。本実施例においては、複数個の半円盤状空間部８ｅと薄肉状壁部８ｆとからなるグロメット８のシール部８’が、グロメット８の一方の水平面８ｃの半分の領域に、２個、配設されており、この２個のシール部８’には、それぞれ、小径の光ケーブル２ａの略半分が嵌合するように構成されている。
【００２２】
グロメット８のもう一方の水平面８ｃの半分の領域にも、同様の複数個の半円盤状空間部８ｅと薄肉状壁部８ｆとにより、光ケーブル２が略半分嵌合可能なグロメット８のシール部８”が形成されている。本実施例においては、複数個の半円盤状空間部８ｅと薄肉状壁部８ｆとからなるグロメット８のシール部８”が、１個、配設されており、このシール部８”には、それぞれ、大径の光ケーブル２ｂの略半分が嵌合するように構成されている。
【００２３】
また、本実施例においては、グロメット８に配設された小径の光ケーブル２ａ用のシール部８’と大径の光ケーブル２ｂ用のシール部８”との間には、変形がし難い隔壁部８ｇが形成されており、また、小径の光ケーブル２ａ用のシール部８’間にも、同様に、変形がし難い隔壁部８ｈが形成されている。
【００２４】
上述したグロメット８は、基台４のグロメット収納部４ｂの凹部４ｂ１に、その一部が嵌入されるように構成されており、そして、適宜、光ケーブル２を、シール部８’、８”に載置した後、カバー体５のグロメット収納部５ｃの凹部５ｃ１に、その一部が嵌入されたグロメット８を対峙させ、その後、基台４にカバー体５を被せるとともに、カバー体５の側部５ｂの下端に垂設された弾性舌片５ｄを、基台４の裏面方向に屈曲させて、弾性舌片５ｄに穿設された透孔５ｄ１に、基台４に形成された引掛凸部４ｃを嵌入させることにより、基台４とカバー体５とを連結させる。このように、基台４とカバー体５を連結させることにより、光ケーブル２が、相対するグロメット８のシール部８’、８”に、それぞれ、略半分程度、嵌合するとともに、基台４に配設されたグロメット８とカバー体５に配設されたグロメット８の水平面８ｃ同士が当接するように構成されている。従って、グロメット８に挟持された光ケーブル２をシールすることができる。
【００２５】
上述したように、基台４に突設された引掛凸部４ｃを、カバー体５に配設された弾性舌片５ｄの透孔５ｄ１に嵌入或いは排出させるだけで、カバー体５を、基台４に取着或いは取り外すことができ、従来のように、手間と時間のかかるボルトや緊諦バンド等の取り外し作業がないので、光心線の切替や切り分け作業の作業性が向上する。
【００２６】
また、上述したように、光ケーブル２をシールするグロメット８が、複数の半円盤状空間部８ｅと容易に弾性変形可能な薄肉状壁部８ｆとにより構成されているので、光ケーブル２を半円盤状空間部８ｅ及び薄肉状壁部８ｆに載置し、その後、基台４とカバー体５とを結合するだけの簡単な操作により、光ケーブル２を、完全にシールすることができる。
【００２７】
図１０及び図１１において、９は、基台４の短辺側の底部に、螺子やボルトＢ４等の適当な固着手段により、その板状の水平部９ａが取着された一対のフック部材であり、フック部材９の縦長の板状に形成された垂直部９ｂの上端には、水平方向に延在する係止片９ｃが延設されている。板状の垂直部９ｂは、その面９ｂ１が、基台４の長辺に沿うように配置されており、また、垂直部９ｂには、適当な間隔で、適当数のボルト挿通孔９ｂ２が穿設されている。
【００２８】
１０は、縦長の板部１０ａと、板部１０ａの垂直端から板部１０ａに対して略直角方向に延在する側壁部１０ｂとからなる、平面形状が略コの字状の懸架部材であり、懸架部材１０の板部１０ａの上端部には、吊り線１が挿通可能な凹部１０ｃ１を有するサドル１０ｃが、ボルトＢ５により取着されている。懸架部材１０の板部１０ａには、縦長スリット１０ｄが形成されており、また、縦長スリット１０ｄに対して交差するように、適当数の水平スリット１０ｅが形成されている。本実施例には、縦長スリット１０ｄの下端部付近と中央部付近の２箇所に、水平スリット１０ｅが形成されている。また、サドル１０ｃと縦長スリット１０ｄとの間には、上記の水平スリット１０ｅと同様の上部スリット１０ｆが形成されている。上述した縦長スリット１０ｄと交差する水平スリット１０ｅと上部スリット１０ｆには、フック部材９の係止片９ｃが挿入可能なように構成されている。
【００２９】
サドル１０ｃの凹部１０ｃ１に吊り線１を挿入し、サドル１０ｃを、ボルトＢ５により、懸架部材１０の板部１０ａに取着することにより、懸架部材１０が、吊り線１に懸架されるように構成されている。次いで、懸架部材１０の板部１０ａと相対する側壁部１０ｂとにより形成される凹部に、フック部材９の垂直部９ｂを挿入するとともに、懸架部材１０の上部スリット１０ｆに、フック部材９の係止片９ｃを挿入し、その後、懸架部材１０の縦長スリット１０ｄ及びフック部材９の垂直部９ｂに穿設された一番上のボルト挿通孔９ｂ２に、ボルトＢ６を挿通するとともに、ボルトＢ６にナットＮ１を螺合させることにより、懸架部材１０にフック部材９を取着することができ、この状態が、通信ケーブル用クロージャ３が、懸架部材１０とフック部材９を介して、吊り線１に吊り下げられている通常の状態である。
【００３０】
上述したように、基台４とカバー体５とが連結されることにより、グロメット８に挟持されて通信ケーブル用クロージャ３内に導入された光ケーブル２は、上述したように、ケーブル把持部材７を構成する反転ブロック７ｂと、固定枠７ａの水平部７ａ２に穿設された所定の螺子孔７ａ３に螺合されている締め付けボルトＢ３に取着されている円弧状押さえ板ｂ１、ｂ２とにより挟持され、また、光ケーブル２のテンションメンバ２’は、テンションメンバ把持部材６のＬ字型金具６ａの水平部６ａ１と座金具６ｂとにより挟持されている。光ケーブル２の心線２”は、公知のように、光心線収納トレーａ１に収容されている。
【００３１】
光ファイバ心線２”の切替や切り分け作業等を行う場合には、先ず最初に、懸架部材１０の縦長スリット１０ｄ及びフック部材９の垂直部９ｂに穿設された一番上のボルト挿通孔９ｂ２に挿通されているボルトＢ６のナットＮ１を緩め、その後、懸架部材１０の上部スリット１０ｆに挿入されているフック部材９の係止片９ｃを、上部スリット１０ｆから排出させる。なお、懸架部材１０の縦長スリット１０ｄ及びフック部材９の垂直部９ｂに穿設された他のボルト挿通孔（上記の一番上のボルト挿通孔以外のボルト挿通孔）９ｂ２にボルトＢ６が挿通され、ナットＮ１が螺合されている場合には、このようなボルトＢ６からは、ナットＮ１を外すとともに、懸架部材１０の縦長スリット１０ｄ及びフック部材９の垂直部９ｂに穿設された他のボルト挿通孔９ｂ２から、ボルトＢ６を抜き取っておく。
【００３２】
次いで、通信ケーブル用クロージャ３を下降させて、懸架部材１０の縦長スリット１０ｄと交差する、縦長スリット１０ｄの下端部付近に位置する水平スリット１０ｅに、フック部材９の係止片９ｃを挿入する。このように、懸架部材１０の縦長スリット１０ｄと交差する、縦長スリット１０ｄの下端部付近に位置する水平スリット１０ｅに、フック部材９の係止片９ｃを挿入し、係止することにより、通信ケーブル用クロージャ３の上方には、充分な作業スペースが形成されることになる。なお、光ファイバ心線２”の切替や切り分け作業等の作業中に、上記の水平スリット１０ｅから、フック部材９の係止片９ｃが外れないように、再度、ボルトＢ６にナットＮ１を螺合させて、懸架部材１０とフック部材９とが離れないようにすることが好ましい。
【００３３】
次いで、カバー体５の側部５ｂの下端に垂設された弾性舌片５ｄに穿設された透孔５ｄ１から、基台４に突設された引掛凸部４ｃを排出させて、弾性舌片５ｄと引掛凸部４ｃとの係止状態を解除する。その後、カバー体５を、基台４から外して、所望の光ファイバ心線２”の切替や切り分け作業等を行う。
【００３４】
上述したように、通信ケーブル用クロージャ３が、吊り線１に取着された懸架部材１０に対して、昇降可能で、且つ、位置固定が可能なフック部材９に配設されているので、従来の通信ケーブル用クロージャのように、通信ケーブル用クロージャ全体を、吊り下げバンドから取り外す必要がないので、光ファイバ心線２”の切替や切り分け作業等の作業性が向上し、作業時間を短縮することができる。
【００３５】
光ファイバ心線２”の切替や切り分け作業等が終了した際には、基台４に、カバー体５を被せるとともに、カバー体５の側部５ｂの下端に垂設された弾性舌片５ｄを、基台４の裏面方向に屈曲させて、弾性舌片５ｄに穿設された透孔５ｄ１に、基台４に形成された引掛凸部４ｃを嵌入させることにより、基台４とカバー体５を連結させる。
【００３６】
次いで、再度、ボルトＢ６のナットＮ１を緩めて、懸架部材１０の縦長スリット１０ｄの下端部付近に位置する水平スリット１０ｅに挿入されているフック部材９の係止片９ｃを排出させる。、その後、通信ケーブル用クロージャ３を持ち上げ、懸架部材１０の上部スリット１０ｆに、フック部材９の係止片９ｃを挿入し、その後、懸架部材１０の縦長スリット１０ｄ及びフック部材９の垂直部９ｂに穿設された一番上のボルト挿通孔９ｂ２に、ボルトＢ６を挿通するとともに、ボルトＢ６にナットＮ１を螺合させる。必要に応じて、懸架部材１０の縦長スリット１０ｄ及びフック部材９の垂直部９ｂに穿設された他のボルト挿通孔（上記の一番上のボルト挿通孔以外のボルト挿通孔）９ｂ２にボルトＢ６を挿通するとともに、ナットＮ１を螺合することもできる。
【００３７】
上述したように、懸架部材１０に複数形成された水平スリット１０ｅや上部スリット１０ｆに、フック部材９に形成された係止片９ｃを挿入するという簡単な構成により、通信ケーブル用クロージャ３の作業位置が変更可能であるので、切替や切り分け作業等の作業性が向上するとともに、通信ケーブル用クロージャ３のコストの低減化を実現することができる。
【００３８】
上述した実施例においては、光ケーブル２のテンションメンバ２’、テンションメンバ把持部材６、基台４及び懸架部材１０は、導通しているとともに、懸架部材１０は、常に、吊り線１に懸架されているので、懸架部材１０自体が接地機能を有している。従って、従来のように、テンションメンバ把持部材１０と吊り線１との間に接地線を配設し、通信ケーブル用クロージャ３を接地する必要がないので、光心線の切替や切り分け作業の際に、接地線を取り外したり、取り付けたりする手間が省け、光心線の切替や切り分け作業の作業性が向上する。
【００３９】
【発明の効果】
本発明は、上述したように構成したので、以下に記載する効果を奏することができる。
【００４０】
吊り線に取着された懸架部材と、該懸架部材に対して昇降可能で、且つ、適当な固着具により、上記懸架部材に位置固定が可能なフック部材とにより通信ケーブル用クロージャを構成したので、従来の通信ケーブル用クロージャのように、通信ケーブル用クロージャ全体を、吊り下げバンドから取り外す必要がないので、光ファイバ心線の切替や切り分け作業等の作業性が向上し、作業時間を短縮することができる。
【００４１】
懸架部材に複数形成された水平スリットに、フック部材に形成された係止片を挿入だけで、通信ケーブル用クロージャの作業位置が変更することができるので、光ファイバ心線の切替や切り分け作業等の作業性が向上するとともに、通信ケーブル用クロージャのコストの低減化を実現することができる。
【００４２】
カバー体に配設された弾性舌片の透孔に、基台に突設された引掛凸部を嵌入させることにより、カバー体と基台とを連結するように構成したので、基台に突設された引掛凸部を、カバー体に配設された弾性舌片の透孔に嵌入或いは排出させるだけで、カバー体を、基台に取着或いは取り外すことができ、従って、従来のように、手間と時間のかかるボルトや緊諦バンド等の取り外し作業がないので、光心線の切替や切り分け作業の作業性が向上する。
【００４３】
ケーブル把持部材が、固定枠と把持される通信ケーブルの径に応じた嵌合凹部を有する反転ブロックとにより構成されているので、反転ブロックを反転させるだけで、外径の異なる通信ケーブルに対応することができる。
【００４４】
通信ケーブルをシールするグロメットが、複数の半円盤状空間部と容易に弾性変形可能な薄肉状壁部とにより構成されているので、光ケーブルを半円盤状空間部及び薄肉状壁部に載置し、その後、基台とカバー体とを結合するだけの簡単な操作により、光ケーブルを、完全にシールすることができる。
【００４５】
懸架部材が接地機能を有し、この懸架部材により、通信ケーブル用クロージャ接地するようにしたので、光心線の切替や切り分け作業の際に、接地線を取り外したり、取り付けたりする手間が省け、従って、光心線の切替や切り分け作業の作業性が向上する。
【図面の簡単な説明】
【図１】図１は本発明の通信ケーブル用クロージャの全体斜視図である。
【図２】図２は本発明の通信ケーブル用クロージャの一部断面を含む正面図である。
【図３】図３は本発明の通信ケーブル用クロージャからカバー体を取り外した状態の全体斜視図である。
【図４】図４は本発明の通信ケーブル用クロージャを構成する基台とカバー体の連結状態を説明するための部分拡大斜視図である。
【図５】図５は本発明の通信ケーブル用クロージャを構成するケーブル把持部材等の部分拡大斜視図である。
【図６】図６は同じく本発明の通信ケーブル用クロージャを構成するケーブル把持部材等の部分拡大斜視図である。
【図７】図７は本発明の通信ケーブル用クロージャを構成するカバー体の斜視図である。
【図８】図８は本発明の通信ケーブル用クロージャを構成するカバー体の部分拡大斜視図である。
【図９】図９は本発明の通信ケーブル用クロージャを構成するグロメットの斜視図である。
【図１０】図１０は本発明の通信ケーブル用クロージャを構成するフック部材や懸架部材等の分解斜視図である。
【図１１】図１１は本発明の通信ケーブル用クロージャを構成するフック部材や懸架部材等の部分拡大斜視図である。
【符号の説明】
１・・・・・・・・吊り線
２・・・・・・・・光ケーブル
３・・・・・・・・通信ケーブル用クロージャ
４・・・・・・・・基台
５・・・・・・・・カバー体
６・・・・・・・・テンションメンバ把持部材
７・・・・・・・・ケーブル把持部材
８・・・・・・・・グロメット
９・・・・・・・・フック部材
１０・・・・・・・懸架部材
【図１】
2004236484.tif 000003
【図２】
2004236484.tif 000004
【図３】
2004236484.tif 000005
【図４】
2004236484.tif 000006
【図５】
2004236484.tif 000007
【図６】
2004236484.tif 000008
【図７】
2004236484.tif 000009
【図８】
2004236484.tif 000010
【図９】
2004236484.tif 000011
【図１０】
2004236484.tif 000012
【図１１】
2004236484.tif 000013